(57)【特許請求の範囲】
【請求項１】
キャパシタセルの複数個に対して、それぞれスイッチング回路と、トランスと、制御装置とが組合わされて構成され、前記スイッチング回路を順番にＯＮ・ＯＦＦする回路を備えたセルエネルギ量調節装置であって、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とをそろえており、前記スイッチング回路をキャパシタセルと複数のコイルを備えたトランスの一つのコイルに直列に接続し、前記キャパシタセルが複数個直列に接続されたことを特徴とするセルエネルギ量調節装置。
【請求項２】
請求項１に記載のセルエネルギ量調節装置と、複数個のキャパシタセルとで構成される単位エネルギ貯蔵装置の複数個に対して、それぞれスイッチング回路と、トランスと、制御装置とが組合わされ、前記スイッチング回路を順番にＯＮ・ＯＦＦする回路を備えたセルエネルギ量調節装置であって、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とはそろえており、前記スイッチング回路を、単位エネルギ貯蔵装置と、複数のコイルを備えたトランスの一つのコイルに直列に接続し、前記単位エネルギ貯蔵装置が複数個直列に接続されたことを特徴とするセルエネルギ量調節装置。
【請求項３】
請求項２に記載のセルエネルギ量調節装置と、複数個の単位エネルギ貯蔵装置とで構成されるエネルギ貯蔵装置の複数個に対して、それぞれスイッチング回路と、トランスと、制御装置とが組合わされ、前記スイッチング回路を順番にＯＮ・ＯＦＦする回路を備えたセルエネルギ量調節装置であって、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とはそろえており、前記スイッチング回路を、エネルギ貯蔵装置と、複数のコイルを備えたトランスの一つのコイルに直列に接続し、前記エネルギ貯蔵装置が複数個直列に接続されたことを特徴とするセルエネルギ量調節装置。
【請求項４】
請求項１に記載のセルエネルギ量調節装置と、複数個のキャパシタセルとで構成される単位エネルギ貯蔵装置の複数個に対して、それぞれスイッチング回路と、トランスと、制御装置とが組合わされて構成されたセルエネルギ量調節装置において、前記スイッチング回路を単位エネルギ貯蔵装置と、複数のコイルを備えたトランスの一つのコイルに直列接続し、複数個あるすべての前記スイッチング回路を同時にスイッチング動作させることができるスイッチ駆動回路を前記制御装置内に備え、前記単位エネルギ貯蔵装置が複数個直列に接続されたことを特徴とするセルエネルギ量調節装置。
【請求項５】
請求項４に記載のセルエネルギ量調節装置と、複数個の単位エネルギ貯蔵装置とで構成されるエネルギ貯蔵装置の複数個に対して、それぞれスイッチング回路と、トランスと、制御装置とが組合わされて構成されたセルエネルギ量調節装置において、前記スイッチング回路をエネルギ貯蔵装置と、複数のコイルを備えたトランスの一つのコイルに直列接続し、複数個あるすべての前記スイッチング回路を同時にスイッチング動作させることができるスイッチ駆動作回路を前記制御装置内に備え、前記エネルギ貯蔵装置が複数個直列に接続されたことを特徴とするセルエネルギ量調節装置。
【請求項６】
二次電池セルの複数個に対して、それぞれスイッチング回路と、トランスと、制御装置とが組合わされて構成され、前記スイッチング回路を順番にＯＮ・ＯＦＦする回路を備えたセルエネルギ量調節装置であって、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とをそろえており、前記スイッチング回路を二次電池セルと複数のコイルを備えたトランスの一つのコイルに直列に接続し、前記二次電池セルが複数個直列に接続されたことを特徴とするセルエネルギ量調節装置。
【請求項７】
請求項６に記載のセルエネルギ量調節装置と、複数個の二次電池セルとで構成される単位エネルギ貯蔵装置の複数個に対して、それぞれスイッチング回路と、トランスと、制御装置とが組合わされて構成され、前記スイッチング回路を順番にＯＮ・ＯＦＦする回路を備えたセルエネルギ量調節装置であって、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とはそろえており、前記スイッチング回路を、単位エネルギ貯蔵装置と、複数のコイルを備えたトランスの一つのコイルに直列に接続し、前記単位エネルギ貯蔵装置が複数個直列に接続されたことを特徴とするセルエネルギ量調節装置。
【請求項８】
請求項７に記載のセルエネルギ量調節装置と、複数個の単位エネルギ貯蔵装置とで構成されるエネルギ貯蔵装置の複数個に対して、それぞれスイッチング回路と、トランスと、制御装置とが組合わされ、前記スイッチング回路を順番にＯＮ・ＯＦＦする回路を備えたセルエネルギ量調節装置であって、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とはそろえており、前記スイッチング回路を、エネルギ貯蔵装置と、複数のコイルを備えたトランスの一つのコイルに直列に接続し、前記エネルギ貯蔵装置が複数個直列に接続されたことを特徴とするセルエネルギ量調節装置。
【請求項９】
請求項６に記載のセルエネルギ量調節装置と、複数個の二次電池セルとで構成される単位エネルギ貯蔵装置の複数個に対して、それぞれスイッチング回路と、トランスと、制御装置とが組合わされたセルエネルギ量調節装置において、前記スイッチング回路を単位エネルギ貯蔵装置と、複数のコイルを備えたトランスの一つのコイルに直列接続し、複数個あるすべての前記スイッチング回路を同時にスイッチング動作させることができるスイッチ駆動回路を前記制御装置内に備え、前記単位エネルギ貯蔵装置が複数個直列に接続されたことを特徴とするセルエネルギ量調節装置。
【請求項１０】
請求項９に記載のセルエネルギ量調節装置と、複数個の単位エネルギ貯蔵装置とで構成されるエネルギ貯蔵装置の複数個に対して、それぞれスイッチング回路と、トランスと、制御装置とが組合わされて構成されたセルエネルギ量調節装置において、前記スイッチング回路をエネルギ貯蔵装置と、複数のコイルを備えたトランスの一つのコイルに直列接続し、複数個あるすべての前記スイッチング回路を同時にスイッチング動作させることができるスイッチ駆動回路を前記制御装置内に備え、前記エネルギ貯蔵装置が複数個直列に接続されたことを特徴とするセルエネルギ量調節装置。
【請求項１１】
請求項１ないし１０のいずれか１項に記載のセルエネルギ量調節装置を用いたことを特徴とするエネルギ貯蔵装置。
【発明の詳細な説明】
【０００１】
【発明の属する技術分野】
本発明は、直列に接続された電気エネルギ貯蔵セルによって構成されるエネルギ貯蔵装置に貯蔵されたエネルギ量に対して、それぞれのセルおよび複数のセルを一つの貯蔵単位としたエネルギ貯蔵装置の貯蔵エネルギ量の比率を目標の値に設定するエネルギ配分回路を備えた電気エネルギ貯蔵装置に関するもので、特にそれに使用されるセルエネルギ量調節装置に関するものである。
【０００２】
【従来の技術】
キャパシタなどの電気エネルギ貯蔵セルを直列に接続して、単体のセルより端子電圧が高くエネルギ貯蔵量が大きい電気エネルギ貯蔵システムを構成する際に、それぞれのセルにツェナーダイオードのような定電圧素子を並列に接続したりすることにより、各セルの電圧を均一にして、エネルギ貯蔵量を高める装置が従来から用いられている。しかし、これらの従来の方法では、エネルギ効率や平準化自由度が低い。
【０００３】
そこで、複数の電気エネルギ貯蔵セルを接続して構成するエネルギ貯蔵装置を運用するために、新規なセル電圧平準化装置として各セルのエネルギ量を管理し、エネルギの再配分を行う機構を備えたセルエネルギ量調節装置が非常に有望である。
【０００４】
図７は、従来のセルエネルギ量調節装置の代表例１を示す図である。図７において、まずは各キャパシタセル１の電圧を測定するために、それぞれのキャパシタセルに接続されているスイッチング素子であるＦＥＴ２を順次ＯＮにして、二次側コイル７に励起される電圧を電圧入力回路９で測定し、電圧メモリに記録する。
【０００５】
すべてのキャパシタセルの電圧を測定後、その結果から、例えば、二つ目のキャパシタセルの電圧が他のキャパシタセルの電圧よりも高い場合、すなわち二つ目のキャパシタセルのエネルギ量が他のキャパシタセルのエネルギ量よりも過剰である場合、二つ目のキャパシタセルに接続されているＦＥＴ２のＯＮ・ＯＦＦを中央制御ユニット１０がスイッチ駆動回路１２を用いて制御することにより、二次側コイル７、ダイオード３を通って直列に接続されているキャパシタセル全体にエネルギを移送する。
【０００６】
図８は、従来のセルエネルギ量調節装置の代表例２を示す図である。図８において、実用的にはセルを複数個直列に接続したエネルギ貯蔵装置をさらに複数個直列に接続して構成し、全体のエネルギ量を高めて稼動される。その動作は図７と同様である。
【０００７】
【発明が解決しようとする課題】
前記セルエネルギ量調節装置で各キャパシタセルのエネルギを調整するためには、トランスの二次側コイルに制御装置を設けなければならない。。この二次側コイルは一般的に一次側コイルの巻数のセル個数倍の巻数を必要とし、トランス自体のおよそ半分を占めている。
【０００８】
また、前記制御装置は、各キャパシタセルの電圧を測定する機構とその情報を記録するメモリとその測定結果を判断するＣＰＵおよびスイッチング回路を制御するコントローラを必要とする。この方法では、効率は最大限まで引き出すことができるが、回路が大きくなり制御系が複雑になる。
【０００９】
従って、本発明の目的は、スイッチング回路を制御する制御装置を簡略化して、エネルギ効率を最大限まで引き出すことができるセルエネルギ量調節装置を提供することである。
【００１０】
【課題を解決するための手段】
本発明は、キャパシタセルもしくは二次電池セルを複数個直列に接続して任意のセルから該セルに充電されているエネルギを移送する機構を備えたセルエネルギ量調節装置において、制御機構が複雑になることを防ぐ手段を提供する。
【００１１】
本発明によれば、複数のキャパシタセルもしくは二次電池セルで構成したエネルギ量調節装置において、スイッチング回路をＦＥＴとショットキーバリアダイオードを並列接続して構成し、前記スイッチング回路を順番にＯＮ・ＯＦＦする回路を備えたことを特徴とするセルエネルギ量調節装置が得られる。
【００１２】
さらに、本発明によれば、前記のセルエネルギ量調節装置のキャパシタセルもしくは二次電池セルの代わりに、複数のキャパシタセルもしくは二次電池セルで構成したエネルギ貯蔵装置やさらにエネルギ量を調節する機構を備えたエネルギ貯蔵装置を用いてひとつの大きなセルエネルギ量調節装置を構成した場合に、前述のＦＥＴとショットキーバリアダイオードを並列接続して構成したスイッチング回路を用いたことを特徴とするセルエネルギ量調節装置が得られる。
【００１３】
即ち、本発明は、キャパシタセルの複数個に対して、それぞれスイッチング回路と、トランスと、制御装置とが組合わされて構成されたセルエネルギ量調節装置において、前記スイッチング回路は、ＦＥＴのドレインとソースに対し、ショットキーバリアダイオードが並列接続されて構成され、前記ショットキーバリアダイオードの極性方と、ＦＥＴの寄生ダイオードの極性方向とをそろえており、前記スイッチング回路をキャパシタと複数のコイルを備えたトランスの一次側のコイルに直列に接続し、前記キャパシタセルが複数個直列に接続されたセルエネルギ量調節装置である。
【００１５】
また、本発明は、前記セルエネルギ量調節装置と、複数個のキャパシタセルとで構成される単位エネルギ貯蔵装置の複数個に対して、それぞれスイッチング回路と、トランスと、制御装置とが組合わされて構成されたセルエネルギ量調節装置において、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とはそろえており、前記スイッチング回路を、単位エネルギ貯蔵装置と、複数のコイルを備えたトランスの一つのコイルに直列に接続し、前記単位エネルギ貯蔵装置が複数個直列に接続されたセルエネルギ量調節装置である。
【００１６】
また、本発明は、前記セルエネルギ量調節装置と、複数個の単位エネルギ貯蔵装置とで構成されるエネルギ貯蔵装置の複数個に対して、それぞれスイッチング回路と、トランスと、制御装置とが組合わされて構成されたセルエネルギ量調節装置において、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とはそろえており、前記スイッチング回路を、エネルギ貯蔵装置と、複数のコイルを備えたトランスの一つのコイルに直列に接続し、前記エネルギ貯蔵装置が複数個直列に接続されたセルエネルギ量調節装置である。
【００１７】
また、本発明は、前記セルエネルギ量調節装置と、複数個のキャパシタセルとで構成される単位エネルギ貯蔵装置の複数個に対して、それぞれスイッチング回路と、トランスと、制御装置とが組合わされて構成されたセルエネルギ量調節装置において、前記スイッチング回路をキャパシタセルと、複数のコイルを備えたトランスの一つのコイルに直列接続し、複数個あるすべての前記スイッチング回路を同時にスイッチング動作させることができるスイッチ駆動回路を前記制御装置内に備え、前記単位エネルギ貯蔵装置が複数個直列に接続されたセルエネルギ量調節装置である。
【００１９】
また、本発明は、二次電池セルの複数個に対して、それぞれスイッチング回路と、トランスと、制御装置とが組合わされて構成されたセルエネルギ量調節装置において、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とをそろえており、前記スイッチング回路を二次電池セルと複数のコイルを備えたトランスの一つのコイルに直列に接続し、前記二次電池セルが複数個直列に接続されたセルエネルギ量調節装置である。
【００２０】
また、本発明は、二次電池セルの複数個に対して、それぞれスイッチング回路と、トランスと、制御装置とが組合わされて構成されたセルエネルギ量調節装置において、前記スイッチング回路を二次電池セルと、複数のコイルを備えたトランスの一つのコイルに直列接続し、複数個あるすべての前記スイッチング回路を同時にスイッチング動作させることができるスイッチ駆動回路を前記制御装置内に備え、前記二次電池セルが複数個直列に接続されたセルエネルギ量調節装置である。
【００２１】
また、本発明は、 前記セルエネルギ量調節装置と、複数個の二次電池セルとで構成される単位エネルギ貯蔵装置の複数個に対して、それぞれスイッチング回路と、トランスと、制御装置とが組合わされて構成されたセルエネルギ量調節装置において、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とはそろえており、前記スイッチング回路を、単位エネルギ貯蔵装置と、複数のコイルを備えたトランスの一つのコイルに直列に接続し、前記単位エネルギ貯蔵装置が複数個直列に接続されたセルエネルギ量調節装置である。
【００２２】
また、本発明は、前記セルエネルギ量調節装置と、複数個の単位エネルギ貯蔵装置とで構成されるエネルギ貯蔵装置の複数個に対して、それぞれスイッチング回路と、トランスと、制御装置とが組合わされて構成されたセルエネルギ量調節装置において、前記スイッチング回路は、ＦＥＴのドレインとソースに対し、ショットキーバリアダイオードが並列接続されて構成され、前記ショットキーバリアダイオードの極性方向と、ＦＥＴの寄生ダイオードの極性方向とはそろえており、前記スイッチング回路を、エネルギ貯蔵装置と、複数のコイルを備えたトランスの一つのコイルに直列に接続し、前記エネルギ貯蔵装置が複数個直列に接続されたセルエネルギ量調節装置である。
【００２３】
また、本発明は、前記セルエネルギ量調節装置と、複数個の二次電池セルとで構成される単位エネルギ貯蔵装置の複数個に対して、それぞれスイッチング回路と、トランスと、制御装置とが組合わされて構成されたセルエネルギ量調節装置において、前記スイッチング回路をキャパシタセルと、複数のコイルを備えたトランスの一つのコイルに直列接続し、複数個あるすべての前記スイッチング回路を同時にスイッチング動作させることができるスイッチ駆動回路を前記制御装置内に備え、前記単位エネルギ貯蔵装置が複数個直列に接続されたセルエネルギ量調節装置である。
【００２４】
また、本発明は、前記セルエネルギ量調節装置と、複数個の単位エネルギ貯蔵装置とで構成されるエネルギ貯蔵装置の複数個に対して、それぞれスイッチング回路と、トランスと、制御装置とが組合わされて構成されたセルエネルギ量調節装置において、前記スイッチング回路をキャパシタセルと、複数のコイルを備えたトランスの一つのコイルに直列接続し、複数個あるすべての前記スイッチング回路を同時にスイッチング動作させることができるスイッチ駆動回路を前記制御装置内に備え、前記エネルギ貯蔵装置が複数個直列に接続されたセルエネルギ量調節装置である。
【００２５】
また、本発明は、前記セルエネルギ量調節装置を用いたエネルギ貯蔵装置である。
【００２６】
【実施例】
本発明の実施例によるセルエネルギ量調節装置およびエネルギ貯蔵装置について、以下に説明する。
【００２７】
（実施例１）
図１は、本発明によるセルエネルギ量調節装置の第１の実施例の説明図であり、４個のキャパシタセルを直列に接続して構成したセルエネルギ量調節装置を示している。
【００２８】
即ち、キャパシタセル１の４個に対して、それぞれＦＥＴ２と、ショットキーバリアダイオード８と、トランスと、制御装置１３とが組合わされて構成されたセルエネルギ量調節装置であって、前記ＦＥＴ２のドレインとソースに対し、ショットキーバリアダイオード８が並列接続されていてスイッチング回路を構成し、前記ショットキーバリアダイオード８の極性方向と、ＦＥＴ２の極性方向とはそろえており、前記スイッチング回路をキャパシタセル１と複数のコイルを備えたトランスの一次側コイル６に直列に接続し、前記キャパシタセル１が複数個直列に接続されたセルエネルギ量調節装置である。
【００２９】
従来のセルエネルギ量調節装置の構成と比較して、一般的に巻数が多い二次側コイルを省略し、それに伴い、制御回路も電圧測定機構・メモリ機構を省略し、各スイッチング回路を順番にＯＮ・ＯＦＦする機能のみを備えている。この装置を運用する際のアルゴリズムをフローチャートとして図２に示す。
【００３０】
例えば、二つ目のキャパシタセルの電圧が他のキャパシタセルの電圧より高いとする。一つ目のキャパシタセルに接続されているＦＥＴをＯＮしても、一つ目のキャパシタセルの電圧よりも高い電圧である二つ目のキャパシタセル、電圧が等しい三つ目および四つ目のキャパシタセルには、エネルギは移送されない。次に、二つ目のキャパシタセルに接続されているＦＥＴをＯＮすることによって、二つ目のキャパシタセルの電圧よりも低い電圧である一つ目、三つ目および四つ目のキャパシタセルにはエネルギが移送される。
【００３１】
この平準化動作を順次行い、適当なサイクル数だけ行ってから、一定の時間を空けて再度同じ平準化動作を繰り返す。制御回路では、充電の回数および放電の回数のみを測定しておき、一定の回数に到達した場合に平準化動作を再度行っても構わない。
【００３２】
この平準化動作を順次行い、適当なサイクル数だけ行ってから、一定の時間を空けて再度同じ平準化動作を繰り返す。制御装置１３では、充電の回数のみを測定しておき、一定の回数に到達した場合に平準化動作を再度行っても構わない。
【００３３】
（実施例２）
図３は、本発明によるセルエネルギ量調節装置の第２の実施例の説明図であり、４個のキャパシタセルを直列に接続して構成したセルエネルギ量調節装置を示している。即ち、キャパシタセル１の４個に対して、それぞれＦＥＴ２と、トランスと、制御装置１３とが組合わされて構成されたセルエネルギ量調節装置であって、前記ＦＥＴ２を用いてスイッチング回路を構成し、前記スイッチング回路をキャパシタセル１と、複数のコイルを備えたトランスの一次側コイル６に直列接続し、複数個あるすべての前記スイッチング回路を同時にスイッチング動作させることができるスイッチ駆動回路１２ａを備え、前記キャパシタセル１が複数個直列に接続されたセルエネルギ量調節装置である。
【００３４】
ここで、制御回路１２ａでは、各スイッチング回路を同時にＯＮ・ＯＦＦする機能のみを備えている。図３のセルエネルギ量調節装置は、先の図１のセルエネルギ量調節装置の構成と比較して、ショットキーバリアダイオードを省略できる。
【００３５】
図４は、このセルエネルギ量調節装置を運用する際のアルゴリズムを示すフローチャートである。
【００３６】
図１の場合と同様に、例えば、二つのキャパシタセルの電圧が、他のキャパシタセルの電圧より高いとする。この場合、全てのＦＥＴをＯＮすることにより、電圧の高い二つ目のキャパシタセルの電圧値が、すべてのキャパシタセルのコイルに誘起され、その電圧より低い電圧値のキャパシタセルにその差の分に相当するだけエネルギが移送される。この平準化動作を適当な間隔で行うことにより、常に平準化しておくことが可能となる。
【００３７】
（実施例３）
図５は、本発明によるセルエネルギ量調節装置の第３の実施例の説明図であり、３個のキャパシタセルを直列に接続して構成したエネルギ量調節装置をさらに３個直列に接続して構成したエネルギ量調節装置を示している。最も巻数が多い二次側コイルが省略されるために、このようにセル数が多い場合は、回路構成が非常に小型化される。動作は、先の図２と同様であり、３個直列に接続されたキャパシタセルをまず平準化してから、さらに３個のキャパシタセルを直列接続して構成したエネルギ貯蔵装置を平準化することにより、効率よく平準化することができる。
【００３８】
（実施例４）
図６は、本発明によるセルエネルギ量調節装置の第４の実施例の説明図であり、４個のエネルギ貯蔵装置を直列に接続して全体のエネルギ量をさらに高くしたエネルギ量調節装置を示している。この個々のエネルギ貯蔵装置は、複数のキャパシタセルや複数の二次電池セルを直列に接続してセルエネルギ量調節装置を構成し、さらに、それらを接続した構造になっていても構わなし、複数のエネルギ貯蔵装置を直列に接続した構造になっていても構わない。
【００３９】
上記の説明において、キャパシタセルの代わりに二次電池セルもしくは複数のキャパシタセルか二次電池セルで構成したエネルギ貯蔵装置を一つのセルとして用いても構わない。
【００４０】
【発明の効果】
以上に示したように、本発明によれば、複数個の電気エネルギ貯蔵セルで構成したエネルギ貯蔵装置のセルエネルギ量調節装置を、制御装置を簡単化して全体の構成を小型化したセルエネルギ量調節装置およびエネルギ貯蔵装置を提供することができる。
【図面の簡単な説明】
【図１】本発明の実施例１によるセルエネルギ量調節装置の説明図。
【図２】図１の本発明の実施例１によるセルエネルギ量調節装置の動作アルゴリズム例を示すフローチャート。
【図３】本発明の実施例２によるセルエネルギ量調節装置の説明図。
【図４】図３の本発明の実施例２によるセルエネルギ量調節装置の動作アルゴリズム例を示すフローチャート。
【図５】本発明の実施例３によるセルエネルギ量調節装置の説明図。
【図６】本発明の実施例４によるセルエネルギ量調節装置の説明図。
【図７】従来のセルエネルギ量調節装置の代表例１を示す図。
【図８】従来のセルエネルギ量調節装置の代表例２を示す図。
【符号の説明】
１    キャパシタセル
２    ＦＥＴ
２ａ    （ＦＥＴの）寄生ダイオード
３    ダイオード
４    抵抗器
５    キャパシタ
６    （トランスの）一次側コイル
７    （トランスの）二次側コイル
８    ショットキーバリアダイオード
９    電圧入力回路
１０    中央制御ユニット
１１    電圧メモリ
１２，１２ａ，１２ｂ    スイッチ駆動回路
１３    制御装置
１４    単位エネルギ貯蔵装置
１５    エネルギ貯蔵装置
【図１】
0003759403.tif 000002
【図２】
0003759403.tif 000003
【図３】
0003759403.tif 000004
【図４】
0003759403.tif 000005
【図５】
0003759403.tif 000006
【図６】
0003759403.tif 000007
【図７】
0003759403.tif 000008
【図８】
0003759403.tif 000009